(57)【要約】    【課題】貯留皿の排出孔を開放状態で保持することが可能であるとともに、排出孔の閉じ忘れという事態が発生せず、その上、メンテナンスが容易で、製造コストの安価なパチンコ機を提供する。    【解決手段】パチンコ機１の貯留皿４には、遊技球を貯留させるための容器部分の底に排出孔９を穿設してなる貯留部材５と、排出孔９を覆う第一位置と排出孔９を開放する第二位置とに変位可能でコイルバネ１７によって第一位置に変位するように付勢された可動部材６と、上方に遊技球が載置されると、第二位置に変位した可動部材６と係合することによって可動部材６を固定する固定部材８とが設けられている。【選択図】図２
2006167125.tif 000002
【特許請求の範囲】
【請求項１】
払い出された賞品球や貸し出された貸出球を発射装置へ供給するための供給皿と、その供給皿から溢れた遊技球を貯留するための貯留皿とが設けられたパチンコ機であって、
遊技球を貯留させるための容器部分の底に、遊技球を流下させるための排出孔を穿設してなる貯留部材と、
前記排出孔を覆う第一位置と前記排出孔を開放する第二位置とに変位可能であり、第一弾性部材によって、前記第一位置に変位するように付勢された可動部材と、
上方に遊技球が載置されると、前記第二位置に変位した前記可動部材を固定する固定部材とが前記貯留皿に設けられていることを特徴とするパチンコ機。
【請求項２】
固定部材が、可動部材と係合しないように第二弾性部材によって付勢された係合突起を有しており、上方に載置された遊技球の荷重によって前記係合突起を前記第二弾性部材の付勢力に抗して可動部材と係合するように突出させることを特徴とする請求項１に記載のパチンコ機。
【発明の詳細な説明】
【技術分野】
【０００１】
本発明は、遊技球を貯留するための貯留皿を設けたパチンコ機に関するものである。
【背景技術】
【０００２】
通常のパチンコ機には、払い出された賞品球や貸出球を発射装置へ供給するための供給皿が設けられており、その供給皿の下側に、供給皿から溢れた遊技球を貯留するための貯留皿が設けられている。また、貯留皿の底部には、遊技球を下方へ流下させるための排出孔が設けられているとともに、その排出孔を開閉するための遮蔽板が設けられている。そして、コイルバネ等の付勢力に抗して遮蔽板をスライドさせて排出孔を開放することによって、貯留した遊技球を下方へ流下させることができるようになっている。また、特許文献１の如く、遮蔽板をスライドさせた状態で把持する手間をなくすために、一つの遊技球を嵌入可能な円孔が排出孔の近傍に設けられており、円孔内に嵌まり込んだ遊技球の下方部分を遮蔽板の凹部に嵌め込むことによって、排出孔の開放位置で遮蔽板を保持可能に構成したパチンコ機が知られている。
【０００３】
ところが、上記のような排出孔を開放状態で保持可能なパチンコ機においては、排出孔が開放状態のままにされていると、貯留皿の下側に賞品球ケース（いわゆるドル箱）が設置されることなく貯留皿に賞品球が払い出されると、払い出されたそれらの賞品球が全て落下してしまう、という不具合がある。それゆえ、そのような排出孔の閉じ忘れを防止するために、特許文献２の如く、メカニカルタイマーを利用することによって、排出孔を徐々に閉じるように構成したパチンコ機が案出されている。
【０００４】
【特許文献１】特開平６−３１９８６０号公報
【特許文献２】特許３１１８９４３号公報
【発明の開示】
【発明が解決しようとする課題】
【０００５】
しかしながら、上記の如きメカニカルタイマーによって排出孔を徐々に閉じるパチンコ機では、貯留皿内の遊技球をすべて排出させたい場合に、全ての遊技球が排出されない内に、メカニカルタイマーのタイムアップによって排出孔が勝手に閉じてしまう、という事態が発生する。また、メカニカルタイマーを用いた排出孔の遮蔽機構が複雑であるため、故障し易く、メンテナンスが困難であるし、製造コストが高いという不具合もある。
【０００６】
本発明の目的は、上記従来のパチンコ機が有する課題を解消し、貯留皿の排出孔を開放状態で保持することが可能であるとともに、排出孔の閉じ忘れという事態が発生せず、その上、メンテナンスが容易で、製造コストの安価なパチンコ機を提供することにある。
【課題を解決するための手段】
【０００７】
かかる本発明の構成のうち、請求項１に記載された発明の構成は、払い出された賞品球や貸し出された貸出球を発射装置へ供給するための供給皿と、その供給皿から溢れた遊技球を貯留するための貯留皿とが設けられたパチンコ機であって、遊技球を貯留させるための容器部分の底に、遊技球を流下させるための排出孔を穿設してなる貯留部材と、前記排出孔を覆う第一位置と前記排出孔を開放する第二位置とに変位可能であり、第一弾性部材によって、前記第一位置に変位するように付勢された可動部材と、上方に遊技球が載置されると、前記第二位置に変位した前記可動部材を固定する固定部材とが前記貯留皿に設けられていることにある。
【０００８】
請求項２に記載された発明の構成は、請求項１に記載された発明において、固定部材が、可動部材と係合しないように第二弾性部材によって付勢された係合突起を有しており、上方に載置された遊技球の荷重によって前記係合突起を前記第二弾性部材の付勢力に抗して可動部材と係合するように突出させることにある。
【発明の効果】
【０００９】
請求項１に記載されたパチンコ機は、可動部材が第一弾性部材の付勢力に抗して排出孔を開放した第二位置に変位した状態で、固定部材の上に遊技球が載置された場合には、固定部材が可動部材を固定するため、可動部材から手を離した状態で、遊技球を排出孔から外部へ排出させることができる。また、遊技球を排出孔から排出させ切った場合には、固定部材の上に遊技球が存在しなくなるので、固定部材による可動部材の固定が解除されるため、可動部材が第一弾性部材の付勢力によって排出孔を覆う第一位置に自動的に変位する。したがって、請求項１に記載されたパチンコ機によれば、可動部材の閉め忘れによる遊技球の落下という事態を効果的に防止することができる。また、排出孔を開放させた位置で可動部材を保持するための構造がシンプルであるので、故障しにくく、メンテナンスが容易な上、製造コストも安価である。
【００１０】
請求項２に記載されたパチンコ機によれば、固定部材の上に遊技球が存在しなくなった場合には、可動部材と固定部材との係合が確実に解除されるため、可動部材の閉め忘れによる遊技球の落下防止という効果が、きわめて精度の高いものとなる。
【発明を実施するための最良の形態】
【００１１】
以下、本発明のパチンコ機の一実施形態であるパチンコ機について、図面に基いて、詳細に説明する。図１は、実施例１のパチンコ機の正面を示したものである。パチンコ機１の前面の上側には、各種の入賞装置等を設置した略円形の遊技領域２が設けられている。また、遊技領域２の下方には、払い出された遊技球や貸し出された遊技球を図示しない発射装置へ供給するための供給皿３が、前方へ突出するように設置されている。そして、その供給皿３の下側には、供給皿３から溢れた遊技球を貯留させるための貯留皿４が、供給皿３と同様に、前方へ突出するように設置されている。なお、貯留皿４の前側には、装飾用のモール部材３０が設置されている。
【００１２】
図２、図３は、それぞれ、貯留皿４の分解斜視図、平面図であり、図４は、図３におけるＡ−Ａ線断面を示したものである。貯留皿４は、遊技球を貯留させるための容器として機能する貯留部材５と、貯留部材５の排出孔９を開閉するための遮蔽板として機能する可動部材６と、可動部材６をスライド可能に保持するための保持部材７と、可動部材６を所定の位置で固定させるための固定部材８等によって構成されている。
【００１３】
貯留部材５は、下に凸な球面状の底面３３の周囲に帯状の収納壁３２を上向きに連設した形状を有しており、底面３３の中央に、遊技球を下方に排出させるための排出孔９が縦長に穿設されている。そして、その排出孔９の基端側の左右両サイドには、固定部材８を設置するためのガイド溝１０，１０が設けられており、それらのガイド溝１０，１０の上方には、それぞれ、固定部材８の上端を押止するための押止片１１，１１が互いに内側に突出するように設けられている（図４参照）。加えて、貯留部材５の下面には、保持部材７を合着させるための柱状リブ２８，２８・・が設けられている。
【００１４】
また、図５は、固定部材８を示したものであり、固定部材８は、支持体１２と、球受台１３と、第二弾性部材であるコイルバネ３１とによって構成されている。支持体１２は、扁平な長方形状に形成されており、中央部分が凹状になっている。そして、略中央には、円形の挿通孔１５が穿設されており、左右には、帯状の係合片１４，１４が外側に突出するように設けられている。一方、球受台１３は、支持体１２より一回り小さな長方形状に形成されている。また、基端側の方が先端側に比べて肉厚になっており、上面が基端から先端にかけて下向きに傾斜した状態になっている。さらに、球受台１３の裏面の略中央には、略円柱状の係合突起１６が下向きに突設されている。かかる固定部材８は、コイルバネ３１を外嵌した球受台１３の係合突起１６を支持台１２の挿通孔１５に挿通させた状態で一体になっている。
【００１５】
そして、一体となった固定部材８は、図４の如く、支持台１３の左右の係合片１４，１４を貯留部材５の排出孔９の基端のガイド溝１０，１０に挿通させ、球受台１３の上面の左右の端縁際を貯留部材５の排出孔９の基端の押止片１１，１１に押止させた状態で、貯留部材５に組み付けられている。
【００１６】
一方、保持部材７は、図２の如く、前方を円弧状に形成した四角形状の支持板２９の周囲に周壁１９を上方へ折り返し状に設けた扁平な箱状に形成されている。そして、基端側の中央には、可動部材６を枢着するための扁平な円筒体１８が突設されており、略中央には、遊技球を下方へ流下させるための流下孔３７が穿設されている。また、周壁１９の前側の中央部分は、周囲より低く形成されており、その低く形成された部分の両サイドには、保持された可動部材６の動きを規制するための規制壁２０，２０が、後方へ折返し状に設けられている。また、右側の規制壁２０に連なるように、可動部材６の右方向への動きを規制するための第一規制リブ３４が、円筒体１８を中心とした放射方向に直線状に立設されており、左側の規制壁２０のやや外側には、可動部材６の左方向への動きを規制するための第二規制リブ３５が、第一規制リブ３４と同様に、円筒体１８を中心とした放射方向に直線状に立設されている。加えて、支持板２９の右端縁際には、鉤状の係止突起３６が突設されており、左右の規制壁２０，２０の外側および左側の第二規制リブ３５の外側には、貯留部材５と合着するための円筒リブ２１，２１・・が突設されている。
【００１７】
また、可動部材６は、図２の如く、略平板状に形成されており、基端に円形の支持孔２２が穿設されており、先端に摘み２３が設けられている。さらに、先端の摘み２３のやや基端側には、保持部材７の周壁１９の前側の部分と係合させるためのＵ字状部２７が設けられている。加えて、支持孔２２より少し前側には、固定部材８の係合突起１６と係合させるための係合孔２５が穿設されており、右側の周縁には、保持部材７の流下孔３７の形状と合致するように切欠部２４が形成されている。一方、可動部材６の右端縁際には、鉤状の係止体２６が突設されている。
【００１８】
かかる可動部材６は、基端の支持孔２２に保持部材７の円筒体１８を嵌合させ、Ｕ字状部２７を保持部材７の周壁１９（左右の規制壁２０，２０の間の部分）に嵌合させた状態で、係止体２６が第一弾性部材であるコイルバネ１７によって保持部材７の係止突起３６と連結されている。そして、可動部材６は、図６の如く、コイルバネ１７の付勢力に抗して、Ｕ字状部２７の右側が右側の規制壁２０と当接する位置（第一位置）からＵ字状部２７の左側が左側の規制壁２０と当接する位置（第二位置）までの間を左右にスライド可能になっており、Ｕ字状部２７の右側が右側の規制壁２０と当接する位置では、保持部材７の流下孔３７を塞ぎ、Ｕ字状部２７の左側が左側の規制壁２０と当接する位置では、保持部材７の流下孔３７を開放するようになっている。加えて、Ｕ字状部２７の右側が右側の規制壁２０と当接する位置では、可動部材６の右端縁の先端際の部分が第一規制リブ３４と接合し、Ｕ字状部２７の左側が左側の規制壁２０と当接する位置では、可動部材の左端縁の略中央の部分が第二規制リブ３５と接合するようになっている。
【００１９】
上記の如く可動部材６と組み合わされた保持部材７は、貯留部材５の下面に設けられた柱状リブ２８，２８・・を円筒リブ２１，２１・・内に嵌合させることによって、貯留部材５の所定位置に組み付けられている。
【００２０】
上記の如く組み付けられた貯留皿４においては、貯留部材５の排出孔９および保持部材７の流下孔３７を覆った可動部材６をコイルバネ１７の付勢力に抗して左側にスライドさせることによって、貯留部材５の排出孔９および保持部材７の流下孔３７を開放状態にすることができる。また、貯留部材５に遊技球が貯留した状態で、可動部材６をコイルバネ１７の付勢力に抗して左側にスライドさせた場合には、図７の如く、遊技球の重量によって固定部材８の球受台１３が沈み、係合突起１６が下方に突出して、可動部材６係合孔２５に入り込む。したがって、その状態で、左側にスライドさせた可動部材６から手を離しても、可動部材６が左側の位置で保持されるため、貯留部材５の排出孔９および保持部材７の流下孔３７が開放状態のままとなる。
【００２１】
一方、貯留部材５内の遊技球が、貯留部材５の排出孔９および保持部材７の流下孔３７から全て排出され、固定部材８の球受台１３上に遊技球が存在しなくなった場合には、図４の如く、コイルバネ３１の付勢力によって固定部材８の係合突起１６が支持台１２の上側まで没入するため、可動部材６がコイルバネ１７の付勢力によって右側の位置まで自動的にスライドして、貯留部材５の排出孔９および保持部材７の流下孔３７が閉成状態となる。なお、固定部材の球受台１３の上面は、基端から先端にかけて（排出孔９の開放部分に近づくにしたがって）下向きの傾斜状になっているので、最後の１個の遊技球まで滞ることなく排出される。
【００２２】
パチンコ機１は、上記の如く、遊技球を貯留させるための容器部分の底に排出孔９を穿設してなる貯留部材５と、排出孔９を覆う第一位置と排出孔９を開放する第二位置とに変位可能でコイルバネ１７によって第一位置に変位するように付勢された可動部材６と、上方に遊技球が載置されると、第二位置に変位した可動部材６と係合することによって可動部材６を固定する固定部材８とが貯留皿４に設けられている。したがって、可動部材６がコイルバネ１７の付勢力に抗して排出孔９を開放した第二位置に変位した状態で、固定部材８の上に遊技球が載置された場合には、可動部材６と固定部材８とが係合し、可動部材６が第二位置で固定されるため、可動部材６から手を離した状態で遊技球を排出孔９から外部へ排出させることが可能となる。一方、遊技球を排出孔９から排出させ切った後には、可動部材６と固定部材８との係合が解除されるため、可動部材６がコイルバネ１７の付勢力によって排出孔９を覆う第一位置に自動的に変位する。それゆえ、パチンコ機１によれば、可動部材６の閉め忘れによる遊技球の落下という事態を効果的に防止することが可能となる。また、排出孔９を開放させた位置で可動部材６を保持するための構造がシンプルであるので、故障しにくく、メンテナンスが容易な上、製造コストも安価である。
【００２３】
また、固定部材８が、可動部材６と係合しないようにコイルバネ３１によって付勢された係合突起１６を有しており、上方に載置された遊技球の荷重によって係合突起１６をコイルバネ３１の付勢力に抗して可動部材６と係合するように突出させるものであるため、定部材８の上に遊技球が存在しなくなった場合には、可動部材６と固定部材８との係合が確実に解除される。したがって、パチンコ機１によれば、可動部材６の閉め忘れによる遊技球の落下防止という効果が、きわめて高い精度で発現される。
【００２４】
なお、本発明のパチンコ機の構成は、上記実施形態の態様に何ら限定されるものではなく、貯留部材、可動部材、保持部材、固定部材等の形状・構造等の構成を、本発明の趣旨を逸脱しない範囲で、必要に応じて適宜変更できる。
【００２５】
たとえば、固定部材は、上記実施形態の如く、遊技球の重量によって突出した係合突起を可動部材と係合させることによって可動部材を固定するものに限定されず、係合突起を有しておらず、遊技球の荷重によって可動部材と接合し、可動部材との摩擦力によって可動部材を固定するもの等に変更することも可能である。また、排出孔を閉じるように可動部材を付勢するための付勢部材や係合突起を没入状態に付勢するための付勢部材は、コイルバネに限定されず、板バネ等を用いることも可能である。加えて、遊技球を排出孔から排出させている途中で可動部材の固定を解除可能なリリース機構を固定部材に設けることも可能である。
【図面の簡単な説明】
【００２６】
【図１】パチンコ機の前方斜視図である。
【図２】貯留皿の分解斜視図である。
【図３】貯留皿の平面図である。
【図４】図３におけるＡ−Ａ線断面図である。
【図５】（ａ）は固定部材の平面図であり、（ｂ）は（ａ）におけるＢ−Ｂ線断面図であり、（ｃ）は（ａ）におけるＣ−Ｃ線断面図であり、（ｄ）は固定部材の斜視図である。
【図６】保持部材の平面図である。
【図７】貯留皿から遊技球が排出される様子を示す説明図である。なお、（ａ）は貯留部材を上から見た様子であり、（ｂ）は（ａ）におけるＤ−Ｄ線断面図である。
【符号の説明】
【００２７】
１・・パチンコ機、２・・遊技領域、３・・供給皿、４・・貯留皿、５・・貯留部材（容器）、６・・可動部材、７・・保持部材、８・・固定部材、９・・排出孔、１６・・係合突起、１７・・コイルバネ（第一弾性部材）、３１・・コイルバネ（第二弾性部材）。
【図１】
2006167125.tif 000003
【図２】
2006167125.tif 000004
【図３】
2006167125.tif 000005
【図４】
2006167125.tif 000006
【図５】
2006167125.tif 000007
【図６】
2006167125.tif 000008
【図７】
2006167125.tif 000009